(57)【特許請求の範囲】
【請求項１】
物品収納ボックスに設けられた嵌合部がインストルメントパネルの開口の周縁部に設けられた軸部に回転自在に外嵌して、前記物品収納ボックスが、前記開口の奥側に収納された閉じ状態と前記開口から突出した開き状態とに前記軸部の軸芯周りに揺動切り換え自在に構成され、
前記物品収納ボックスは、ボックス本体と、前記ボックス本体に取り付けられて前記閉じ状態で前記開口を閉じるリッドとから成るインストルメントパネルのボックス支持構造であって、
前記ボックス本体とリッドのいずれか一方に前記嵌合部が設けられ、
前記軸部から前記嵌合部に加わる力の作用方向とは反対側から前記嵌合部を受け止め支持する支持部が、前記ボックス本体とリッドのいずれか他方に設けられ、
前記嵌合部を前記軸部に外嵌していない前記物品収納ボックスの組み付け前の状態では、前記支持部が前記嵌合部から離間しており、
前記嵌合部を前記軸部に外嵌した前記物品収納ボックスの組み付け状態では、前記ボックス本体の自重、又は前記ボックス本体の自重と収容物品の荷重で前記支持部が前記嵌合部に当接しているインストルメントパネルのボックス支持構造。
【請求項２】
前記軸部は前記インストルメントパネルの開口の下側周縁部に車幅方向に沿う横軸状に設けられ、
前記ボックス本体は縦壁状の奥壁と底壁を備え、
前記底壁の下方に前記リッドの下端部が配置され、
前記リッドの下端部に前記嵌合部が設けられ、
前記奥壁と底壁で形成されるコーナー部の外面に前記支持部が突設されている請求項１記載のインストルメントパネルのボックス支持構造。
【請求項３】
前記嵌合部は断面Ｃ字状に形成され、
前記支持部は、前記嵌合部の軸芯を挟んで前記嵌合部の開放部とは反対側の背部を受け止め支持する請求項２記載のインストルメントパネルのボックス支持構造。
【請求項４】
前記支持部は、前記ボックス本体の幅方向に間隔を空けて並ぶ複数のリブを前記コーナー部の外面に突設して構成されている請求項２又は３記載のインストルメントパネルのボックス支持構造。
【発明の詳細な説明】
【技術分野】
【０００１】
本発明は、
物品収納ボックスに設けられた嵌合部がインストルメントパネルの開口の周縁部に設けられた軸部に回転自在に外嵌して、前記物品収納ボックスが、前記開口の奥側に収納された閉じ状態と前記開口から突出した開き状態とに前記軸部の軸芯周りに揺動切り換え自在に構成され、
前記物品収納ボックスは、ボックス本体と、前記ボックス本体に取り付けられて前記閉じ状態で前記開口を閉じるリッドとから成るインストルメントパネルのボックス支持構造に関する。
【背景技術】
【０００２】
グローブボックス等の物品収納ボックスは、物品収納ボックスの閉じ状態をインストルメントパネルの開口の周縁部に対してロックするロック機構を隠すためやリッドの剛性を確保するためにボックス本体とリッドの二部品で構成されている。
この物品収納ボックスを備えた上記のインストルメントパネルのボックス支持構造では、前記嵌合部を介してインストルメントパネル側の軸部に物品収納ボックスの自重や物品の荷重が加わり、軸部に高い剛性・強度が求められる。また、前記嵌合部には軸部から力が加わり、嵌合部にも同様に高い剛性・強度が求められる。
そこで、従来、特許文献１に開示されているように、軸部の軸芯方向中央部とインストルメントパネルの開口の周縁部とを連結する連結リブを設け、前記嵌合部に、グローブボックスの閉じ状態で前記軸部が入り込むスリットを形成した技術や、特許文献２に開示されているように、嵌合部に格子状の補強リブを設ける技術が開発されていた。
【先行技術文献】
【特許文献】
【０００３】
【特許文献１】特許第４０１５５１２号公報
【特許文献２】特開２００５−１４５１３１号公報
【発明の概要】
【発明が解決しようとする課題】
【０００４】
しかしながら、前記特許文献１の技術によれば、軸部の軸芯方向中央部とインストルメントパネルの開口の周縁部とを連結する連結リブを設けたことで、軸部の周りの構造が複雑化し、スライド型が必要になって成形型のコストが高くなっていた。そして、軸部の周りの構造が大きくなり、インストルメントパネルの開口の周縁部の構造が大型化していた。
また、特許文献２の技術によれば、嵌合部に格子状の補強リブを設けたことで、嵌合部の構造が複雑化し、スライド型が必要になって特許文献１の技術と同様に成形型のコストが高くなっていた。
本発明は上記実状に鑑みて成されたもので、その目的は、インストルメントパネルの開口の周縁部に設けられた軸部と、物品収納ボックスに設けられた嵌合部とから成る嵌合構造の耐久性を向上させることができ、嵌合構造を簡素化できて成形型のコストを低廉化でき、前記開口の周縁部をコンパクト化できるインストルメントパネルのボックス支持構造を提供する点にある。
【課題を解決するための手段】
【０００５】
本発明の特徴は、
物品収納ボックスに設けられた嵌合部がインストルメントパネルの開口の周縁部に設けられた軸部に回転自在に外嵌して、前記物品収納ボックスが、前記開口の奥側に収納された閉じ状態と前記開口から突出した開き状態とに前記軸部の軸芯周りに揺動切り換え自在に構成され、
前記物品収納ボックスは、ボックス本体と、前記ボックス本体に取り付けられて前記閉じ状態で前記開口を閉じるリッドとから成るインストルメントパネルのボックス支持構造であって、
前記ボックス本体とリッドのいずれか一方に前記嵌合部が設けられ、
前記軸部から前記嵌合部に加わる力の作用方向とは反対側から前記嵌合部を受け止め支持する支持部が、前記ボックス本体とリッドのいずれか他方に設けられ、
前記嵌合部を前記軸部に外嵌していない前記物品収納ボックスの組み付け前の状態では、前記支持部が前記嵌合部から離間しており、
前記嵌合部を前記軸部に外嵌した前記物品収納ボックスの組み付け状態では、前記ボックス本体の自重、又は前記ボックス本体の自重と収容物品の荷重で前記支持部が前記嵌合部に当接している点にある。（請求項１）
【０００６】
上記構成によれば、前記ボックス本体とリッドのいずれか一方に前記嵌合部が設けられ、軸部から前記嵌合部に加わる力の作用方向とは反対側から前記嵌合部を受け止め支持する支持部が、前記ボックス本体とリッドのいずれか他方に設けられているから、嵌合部を支持部で受止め支持することができ、前記軸部と嵌合部から成る嵌合構造の剛性・強度を上げることができて、前記嵌合構造の耐久性を向上させることができる。
また、前記嵌合部はボックス本体とリッドのいずれか一方に設けられ、支持部はボックス本体とリッドのいずれか他方に設けられているから、例えば、嵌合部にリブ等の補強部を備えさせた構造に比べると、嵌合部が設けられたボックス本体又はリッドの構造を簡素化できて、これによりボックス本体又はリッドの成形型を簡素化することができ、成形型のコストを低廉化することができる。
そして、上記のように嵌合構造の剛性・強度を高くすることができるから、軸部の大型化を回避でき、軸部が設けられるインストルメントパネルの開口の周縁部をコンパクトにすることができる。
また、前記嵌合部を前記軸部に外嵌していない前記物品収納ボックスの組み付け前の状態では、前記支持部が前記嵌合部から離間しているから、リッドとボックスの組み合わせ時に支持部と嵌合部の干渉を防ぐことができ、組み付けが容易で組み付け性を向上させることができる。（請求項１）
【０００７】
本発明において、
前記軸部は前記インストルメントパネルの開口の下側周縁部に車幅方向に沿う横軸状に設けられ、
前記ボックス本体は縦壁状の奥壁と底壁を備え、
前記底壁の下方に前記リッドの下端部が配置され、
前記リッドの下端部に前記嵌合部が設けられ、
前記奥壁と底壁で形成されるコーナー部の外面に前記支持部が突設されていると、次の作用を奏することができる。（請求項２）
【０００８】
前記軸部には、ボックス本体とリッドの自重やボックス本体に収容した物品の荷重が加わる。また、嵌合部には軸部から上向きの力が加わる。この嵌合部を支持部が上方から受け止め支持して嵌合部の上方への変形・移動を抑制する。
ボックス本体の縦壁状の奥壁と底壁で形成されるコーナー部はボックス本体の他の個所に比べて剛性・強度が高く、このような剛性・強度が高いコーナー部の外面に前記支持部が突設されているから、支持部の剛性・強度をより高くすることができ、前記嵌合構造の剛性・強度を高くすることができる。従って、ボックス本体に物品を収容した時やボックス本体に熱が加わった時であっても嵌合部及び軸部を変形しにくくすることができる。
また、前記嵌合部を前記軸部に外嵌した前記物品収納ボックスの組み付け状態では、ボックス本体の自重、又はボックス本体の自重と収容物品の荷重でボックス本体の底壁やリッドの下端部が弾性変形して前記支持部が嵌合部に当接する。（請求項２）
【０００９】
本発明において、
前記嵌合部は断面Ｃ字状に形成され、
前記支持部は、前記嵌合部の軸芯を挟んで前記嵌合部の開放部とは反対側の背部を受け止め支持すると、嵌合部の構造を簡素化することができ、前記嵌合構造をより簡素化することができる。また、嵌合部の開放部に軸部を相対的に挿入して嵌合部を軸部に嵌合させることができ、嵌合作業を円滑に行なうことができる。（請求項３）
【００１０】
本発明において、
前記支持部は、前記ボックス本体の幅方向に間隔を空けて並ぶ複数のリブを前記コーナー部の外面に突設して構成されていると、次の作用を奏することができる。（請求項４）
【００１１】
リブは、必要とするスペースが小さいので、インストルメントパネルの開口の下側の周縁部の周りのような複雑で狭い空間にも容易に配設することができる。さらに、支持部がリブから成るので、ボックス本体の成形型も簡素な形状にすることができる。（請求項４）
【発明の効果】
【００１４】
本発明によれば、
インストルメントパネルの開口の周縁部に設けられた軸部と、物品収納ボックスに設けられた嵌合部とから成る嵌合構造の耐久性を向上させることができ、嵌合構造を簡素化できて成形型のコストを低廉化でき、前記開口の周縁部をコンパクト化できるインストルメントパネルのボックス支持構造を提供することができた。
【図面の簡単な説明】
【００１５】
【図１】インストルメントパネルの斜視図
【図２】インストルメントパネルの分解斜視図
【図３】グローブボックスの斜視図
【図４】グローブボックスの分解斜視図
【図５】インストルメントパネルのボックス支持構造の縦断側面図
【図６】嵌合部に対する支持部を下方から見た斜視図
【発明を実施するための形態】
【００１６】
以下、本発明を実施するための形態を図面に基づいて説明する。
図１，図２に自動車のインストルメントパネル１を示してある。インストルメントパネル１は車室内のほぼ全幅にわたる長さに合成樹脂で成形されて運転席及び助手席の前方に配設されている。
【００１７】
前記インストルメントパネル１の車幅方向の中央部にカーステレオ（オーディオ類）・エアコン（空調機器）などの操作系パネル２が集約して配置されている。そして、インストルメントパネル１の車幅方向中央の下端部から下方にセンターコンソール３が延びている。
【００１８】
図２に示すように、インストルメントパネル１の助手席と対向する箇所の下方に、後ろ下方を向く長方形状の開口４が形成され、前記開口４の下側の周縁部４Ｓに、グローブボックス１０（物品収納ボックスに相当）を連結する左右一対の連結部５が設けられている。
【００１９】
前記連結部５は、開口４の下側の周縁部４Ｓから後ろ下方に突出する左右一対の支持片６と、左右一対の支持片６を介して開口４の下側の周縁部４Ｓに両持ち支持される軸部７とから成る。軸部７は前記開口４の下側の周縁部４Ｓに車幅方向に沿う横軸状に設けられている。
【００２０】
軸部７には後ろ上方に開口する複数の横長の凹部７Ｕが軸部７の軸芯方向に並ぶ状態に設けられている。図５に示すように、軸部７と直交する方向の断面において、前記凹部７Ｕは開口側ほど幅広の台形状に形成されている。この凹部７Ｕにより軸部７を軽量化することができる。
【００２１】
そして、図３〜図５に示すように、グローブボックス１０に設けられた左右一対の嵌合部１１が前記軸部７に回転自在に外嵌して、グローブボックス１０が、インストルメントパネル１の開口４の奥側に収納された閉じ状態と開口４から車室内側に突出した開き状態とに前記軸部７の軸芯Ｏ周りに揺動切り換え自在に（開閉自在）構成されている。
【００２２】
前記グローブボックス１０は、ボックス本体２０と、ボックス本体２０に取り付けられて前記閉じ状態で前記開口４を閉じるリッド３０とから成る。ボックス本体２０は上側が開口した縦断側面視Ｖ字状に形成され、前記閉じ状態で略上下方向に沿う奥壁２１と、奥壁２１の下端部から車両後方側に延び、車両前後方向の長さが短く設定された底壁２２と、奥壁２１と共に縦断面視でほぼＶ字を成すように底壁２２の車両後方側の端部から延びる傾斜壁２３と、奥壁２１の左端部と傾斜壁２３の左端部に架け渡された左側の側壁２４と、奥壁２１の右端部と傾斜壁２３の右端部とに架け渡された右側の側壁２５とを備えている。左右の側壁２４，２５の外面と傾斜壁２３の裏面とには連続した補強リブ５０が設けられている。
【００２３】
奥壁２１の上端部２１Ｊには段差部が形成されて、前記上端部２１Ｊが奥壁２１の残りの部分に対して前記開口４の、より奥側（車両前方側）に位置している。
【００２４】
前記傾斜壁２３の幅（車幅方向における傾斜壁２３の長さ）は左右一対の側壁２４，２５間の長さよりも長く設定され、傾斜壁２３の左側の側部２３Ｓ１が左側の側壁２４の左側に張り出し、傾斜壁２３の右側の側部２３Ｓ２が右側（車両前後方向で前下方）に張り出している。傾斜壁２３には幅方向及び長手方向の内方部に長方形状の大きな開口２３Ｈが形成され、開口２３Ｈの周部にはリッド３０に対する多数の溶着用のリブが形成されている。傾斜壁２３に開口２３Ｈが形成されているからボックス本体２０を軽量化することができる。
【００２５】
そして、ボックス本体２０の傾斜壁２３にリッド３０が乗員側(車両後方側Ｒｒ)から重ねられて溶着されている（前記溶着に代えて、ボックス本体２０の傾斜壁２３にリッド３０がスクリュー等で締め付け固定されていてもよい）。リッド３０の表側の面はグローブボックス１０の意匠面となる。リッド３０はボックス本体２０の傾斜壁２３とほぼ同一の大きさに形成され、リッド３０の裏面に、前記溶着用のリブに溶着される多数の小さな溶着用の突起４０が形成されている（図４参照）。このリッド３０がボックス本体２０の傾斜壁２３に溶着されると、ボックス本体２０の奥壁２１と共に縦断側面視でほぼＶ字を成す。
【００２６】
前記ボックス本体２０とリッド３０の間にグローブボックス１０の閉じ状態をインストルメントパネル１の開口４の周縁部に対してロックするロック機構が設けられ、ボックス本体２０の傾斜壁２３の上部の左右中央部とリッド３０の上部の左右中央部に、グローブボックス１０の開閉ロック機構の収容部２６Ａ，２６Ｂが膨出形成されている。
【００２７】
リッド３０の下端部３０Ｋはボックス本体２０の底壁２２の下方まで延びている。このように、前記底壁２２の下方にリッド３０の下端部３０Ｋが配置されている。
【００２８】
図５に示すように、前記嵌合部１１は、前記閉じ状態で下側が開放した断面Ｃ字状に形成されて、リッド３０の下端部３０Ｋの裏側（意匠面とは反対側）に設けられている。詳しくは、嵌合部１１の車両後方側の周部の一部分が連結片１２を介してリッド３０の下端部３０Ｋの裏面に一体に接続している。また、嵌合部１１の車両後方側の開放端１１Ｔもリッド３０の下端部３０Ｋの裏面に一体に接続している。
【００２９】
そして、前記軸部７から前記嵌合部１１に加わる力の作用方向とは反対側の上側から嵌合部１１を受け止め支持する左右一対の支持部２７が、ボックス本体２０の縦壁状の奥壁２１と底壁２２で形成されるコーナー部Ｃの外面に突設されている。
【００３０】
図４〜図６に示すように、前記支持部２７は、ボックス本体２０の幅方向に間隔を空けて並ぶ状態に前記コーナー部Ｃ及び底壁２２の外面に突設された複数の第１リブ２８（特許請求の範囲の「リブ」に相当）と、複数の第１リブ２８と交差（直交）する状態に前記コーナー部Ｃ及び底壁２２の外面に突設された複数の第２リブ２９とから成る。
【００３１】
第１リブ２８はボックス本体２０の幅方向と直交する方向に長い板状に形成され、第２リブ２９はボックス本体２０の幅方向に長い板状に形成されている。この第２リブ２９は連結片１２とリッド３０の下端部３０Ｋに溶着される。図５の第２リブ２９と連結片１２との重複部、及び、第２リブ２９とリッド３０の下端部３０Ｋとの重複部は溶着シロである。本実施形態では第１リブ２８と第２リブ２９は３個づつ設けられている。第１リブ２８と第２リブ２９の数は３個以外であってもよい。
【００３２】
そして、ボックス本体２０の奥側に位置する第１リブ２８の端部の下面に、前記嵌合部１１を受け止め支持する支持面２８Ｍが設けられている。前記支持面２８Ｍは大きな曲率半径の円弧状に形成され、嵌合部１１の軸芯Ｏを挟んで嵌合部１１の開放部１１Ｋとは反対側の背部１１Ｈを受け止め支持する。
【００３３】
前記支持部２７は複数の第１リブ２８と、複数の第１リブ２８と交差する複数の第２リブ２９とで格子状に形成されているから、支持部２７の剛性・強度を向上させることができる。また、前記支持面２８Ｍは大きな曲率半径の円弧状に形成されているから、前記嵌合部１１の背部１１Ｈを確実に受け止め支持することができ、支持状態を安定させることができる。
【００３４】
前記嵌合部１１が軸部７に外嵌していないグローブボックス１０の組み付け前の状態では、支持部２７が嵌合部１１から離間しており（図５の拡大図の二点鎖線（支持面２８Ｍ）参照）、嵌合部１１を軸部７に外嵌した物品収納ボックスの組み付け状態では、ボックス本体２０の自重（ボックス本体２０の自重と収容物品の荷重であってもよい）で底壁２２やリッド３０の下端部３０Ｋが弾性変形して支持部２７が嵌合部１１に当接している。これにより、リッド３０とボックス本体２０の組み合わせ時に支持部２７と嵌合部１１の干渉を防ぐことができ、組み付けが容易で組み付け性を向上させることができる。
【００３５】
左側の側壁２４と右側の側壁２５の奥壁２１側の上端部には、グローブボックスの幅方向外側に向かって突出する円筒状の係合凸部４１が設けられている。係合凸部４１はインストルメントパネル１の開口４の端縁に引っ掛かって、グローブボックス１０の全開状態を保持する。係合凸部４１にはクッション材（図示せず）が装着される。
【００３６】
上記の構造により、
（１）  リッド３０に嵌合部１１が設けられ、軸部７から嵌合部１１に加わる力の作用方向とは反対側の上側から嵌合部１１を受け止め支持する複数の第１リブ２８がボックス本体２０に設けられているから、嵌合部１１を複数の第１リブ２８で受け止め支持することができ、前記軸部７と嵌合部１１から成る嵌合構造の剛性・強度を上げることができて、前記嵌合構造の耐久性を向上させることができる。
また、嵌合部１１はリッド３０に設けられ、支持部２７はボックス本体２０に設けられているから、例えば、嵌合部１１にリブ等の補強部を備えさせた構造に比べると、リッド３０の構造を簡素化できて、リッド３０の成形型を簡素化することができ、成形型のコストを低廉化することができる。
そして、上記のように嵌合構造の剛性・強度を高くすることができるから、軸部７の大型化を回避でき、軸部７が設けられるインストルメントパネル１の開口４の周縁部をコンパクトにすることができる。
【００３７】
（２）  前記軸部７には、ボックス本体２０とリッド３０の自重やボックス本体２０に収容された物品の荷重が加わる。また、嵌合部１１には軸部７から上向きの力が加わる。この嵌合部１１を複数の第１リブ２８から成る支持部２７が上方から受け止め支持して嵌合部１１の上方への変形・移動を抑制する。
ボックス本体２０の縦壁状の奥壁２１と底壁２２で形成されるコーナー部Ｃはボックス本体２０の他の個所に比べて剛性・強度が高い。このような剛性・強度が高いコーナー部Ｃの外面に前記複数の第１リブ２８と第２リブ２９が突設されているから、複数の第１リブ２８と第２リブ２９から成る支持部２７の剛性・強度をより高くすることができ、前記嵌合構造の剛性・強度を高くすることができる。従って、ボックス本体２０に物品を収容した時やボックス本体２０に熱が加わった時であっても、嵌合部１１及び軸部７を変形しにくくすることができる。
【００３８】
（３）  前記嵌合部１１は、前記閉じ状態で下側に開放する断面Ｃ字状に形成され、
前記複数の第１リブ２８は、嵌合部１１の軸芯Ｏを挟んで嵌合部１１の開放部１１Ｋとは反対側の背部１１Ｈを上方から受け止め支持するから、嵌合部１１の構造を簡素化することができ、前記嵌合構造をより簡素化することができる。また、嵌合部１１の開放部１１Ｋに軸部７を挿入して嵌合部１１を軸部７に嵌合させることができ、嵌合作業を円滑に行なうことができる。
【００３９】
（４）  第１リブ２８や第２リブ２９は、必要とするスペースが小さいので、インストルメントパネル１の開口４の下側の周縁部４Ｓの周りのような複雑で狭い空間にも、前記嵌合構造の補強構造を容易に配設することができる。さらに、嵌合部１１を第１リブ２８で支持するので、ボックス本体２０の成形型も簡素な形状にすることができる。
【００４０】
［別実施形態］
（１）  前記嵌合部１１がボックス本体２０に設けられ、前記支持部２７がリッド３０に設けられていてもよい。
（２）  上記の実施形態ではグローブボックス１０を例に挙げて説明したが、本発明はグローブボックス１０に限られるものではなく、他の収納ボックスにも適用することができる。
【符号の説明】
【００４１】
１      インストルメントパネル
４      開口
４Ｓ    開口の下側の周縁部
７      軸部
１０    物品収納ボックス（グローブボックス）
１１    嵌合部
１１Ｋ  嵌合部の開放部
１１Ｈ  背部（嵌合部の背部）
２０    ボックス本体
２１    奥壁
２２    底壁
２７    支持部
２８    リブ（第１リブ）
３０    リッド
３０Ｋ  リッドの下端部
Ｃ      コーナー部
Ｏ      軸芯
【図１】
0005692506.tif 000002
【図２】
0005692506.tif 000003
【図３】
0005692506.tif 000004
【図４】
0005692506.tif 000005
【図５】
0005692506.tif 000006
【図６】
0005692506.tif 000007